(57)【要約】【課題】ネオジウム等の錆びやすい永久磁石（２ａ）を用いたとしても永久磁石（２ａ）が錆びたりすることがない磁気治療装身具構成体（１ａ）およびその製造方法を提供することを目的としている。【解決手段】中心部に孔（２１）が穿設されたリング状をした永久磁石（２ａ）と、前記孔内面を含む永久磁石（２ａ）全体を被覆するとともに、線状材挿通孔（３１）を、前記永久磁石（２ａ）の孔（２１）の内側に有する樹脂被覆層（３）とを備えることを特徴としている。【選択図】      図１
2008229253.tif 000002
【特許請求の範囲】
【請求項１】
中心部に孔が穿設されたリング状をした永久磁石と、前記孔内面を含む永久磁石全体を被覆するとともに、線状材挿通孔を、前記永久磁石の孔の内側に有する樹脂被覆層とを備えることを特徴とする磁気治療装身具構成体。
【請求項２】
中心部に孔が穿設された非着磁状態のリング状磁性体に、外径が前記孔に挿通可能に形成され前記磁性体のリング厚みより長く線状材挿通孔となる貫通孔を有する筒部を備え磁気治療装身具構成体の樹脂被覆層の一部を構成する合成樹脂製インサート部材を、前記筒部が磁性体の孔に挿通され、筒部の両端部が磁性体の孔より外側に出た状態にセットしてインサート部を形成したのち、このインサート部を磁気治療装身具構成体形状をした射出成形金型のキャビティ内にセットし、キャビティの前記インサート部およびインサート部材の貫通孔を除く部分に溶融樹脂を射出する工程と、
この射出成形品を金型から取り出したのち、リング状磁性体を着磁させて永久磁石とする工程とを備える磁気治療装身具構成体の製造方法。
【発明の詳細な説明】
【技術分野】
【０００１】
本発明は、磁気治療装身具構成体およびその製造方法に関する。
【背景技術】
【０００２】
磁気ネックレスや磁気ブレスレットなどの磁気治療装身具は、身体に装着することによって、血行促進や痛みの解消を図ることができるとともに、おしゃれをはかれることから、老人などだけではなく、スポーツ選手や若い人々にも盛んに用いられている。
上記のような磁気治療装身具は、従来、永久磁石が非磁性体金属製のカプセルに収容された磁気治療装身具構成体が、連結環等を用いて連結されることによって形成されている（たとえば、特許文献１〜３参照）。
【０００３】
しかし、上記のような従来の磁気治療装身具の場合、首や手首など使用者の皮膚に直接触れる部分が金属で形成されているため、金属アレルギーを有する人たちは使用できない。
【０００４】
一方、ワイヤーや糸などの線状材を挿通する線状材挿通孔を備えた永久磁石の表面を線状材挿通孔の部分以外を合成樹脂材で被覆した磁気治療装身具構成体も提案されている（たとえば、特許文献４参照）。
したがって、この磁気治療装身具構成体をワイヤーや糸などの線状材で連結することによって得られる磁気治療装身具の場合、上記のように、金属が使用者の皮膚に直接触れることがなくなる。
【０００５】
しかしながら、後者の磁気治療装身具の場合、磁気治療装身具を身に着けたまま入浴や水泳を行なうと、水が線状材挿通孔内に入り込むため、磁石にさびが発生するという問題がある。特に磁力が強いネオジウム系磁石の場合錆びやすく大きな問題となっている。
【０００６】
【特許文献１】特開平７−１３６２８８号公報
【特許文献２】特開平１０−１９９７２２号公報
【特許文献３】特開２００５−１３１１２０号公報
【特許文献４】特開２００４−４１５２４号公報
【発明の開示】
【発明が解決しようとする課題】
【０００７】
本発明は、上記事情に鑑みて、ネオジウム等の錆びやすい永久磁石を用いたとしても永久磁石が錆びたりすることがない磁気治療装身具構成体およびその製造方法を提供することを目的としている。
【課題を解決するための手段】
【０００８】
上記目的を達成するために、本発明にかかる磁気治療装身具構成体は、中心部に孔が穿設されたリング状をした永久磁石と、前記孔内面を含む永久磁石全体を被覆するとともに、線状材挿通孔を、前記永久磁石の孔の内側に有する樹脂被覆層とを備えることを特徴としている。
【０００９】
本発明にかかる磁気治療装身具構成体の製造方法は、中心部に孔が穿設された非着磁状態のリング状磁性体に、外径が前記孔に挿通可能に形成され前記磁性体のリング厚みより長く線状材挿通孔となる貫通孔を有する筒部を備え磁気治療装身具構成体の樹脂被覆層の一部を構成する合成樹脂製インサート部材を、前記筒部が磁性体の孔に挿通され、筒部の両端部が磁性体の孔より外側に出た状態にセットしてインサート部を形成したのち、このインサート部を磁気治療装身具構成体形状をした射出成形金型のキャビティ内にセットし、キャビティの前記インサート部およびインサート部材の貫通孔を除く部分に溶融樹脂を射出する工程と、この射出成形品を金型から取り出したのち、リング状磁性体を着磁させて永久磁石とする工程とを備えることを特徴としている。
【００１０】
本発明において、永久磁石としては、特に限定されず、アルニコ磁石、フェライト磁石、ネオジウム磁石等が挙げられ、ネオジウム磁石が好適である。
樹脂被覆層を形成する樹脂としては、射出成形可能であれば特に限定されないが、ポリエチレン、ポリスチレン、アクリル樹脂等が挙げられ、ポリメチルメタクリレート等のアクリル樹脂が好適である。
【００１１】
インサート部材は、射出される溶融樹脂と相溶性のある樹脂で形成されていれば、射出される溶融樹脂と異なる樹脂で形成されていても構わないが、できるだけ同じ樹脂とすることが好ましい。
【発明の効果】
【００１２】
本発明にかかる磁気治療装身具構成体は、以上のように、中心部に孔が穿設されたリング状をした永久磁石と、前記孔内面を含む永久磁石全体を被覆するとともに、線状材挿通孔を、前記永久磁石の孔の内側に有する樹脂被覆層とを備え、永久磁石が樹脂被覆層によって孔の内面側も完全に被覆されているので、風呂等に直接浸けても、永久磁石が水に曝されることが決してない。したがって、風呂等の水の浸入により永久磁石が錆びたりするといった事故を完全に防止することができる。
【００１３】
また、本発明にかかる磁気治療装身具構成体の製造方法は、中心部に孔が穿設された非着磁状態のリング状磁性体に、外径が前記孔に挿通可能に形成され前記磁性体のリング厚みより長く線状材挿通孔となる貫通孔を有する筒部を備え磁気治療装身具構成体の樹脂被覆層の一部を構成する合成樹脂製インサート部材を、前記筒部が磁性体の孔に挿通され、筒部の両端部が磁性体の孔より外側に出た状態にセットしてインサート部を形成したのち、このインサート部を磁気治療装身具構成体形状をした射出成形金型のキャビティ内にセットし、キャビティの前記インサート部およびインサート部材の貫通孔を除く部分に溶融樹脂を射出する工程と、この射出成形品を金型から取り出したのち、リング状磁性体を着磁させて永久磁石とする工程とを備えるので、上記本発明の磁気治療装身具構成体を確実にかつ正確に得ることができる。
【発明を実施するための最良の形態】
【００１４】
以下に、本発明を、その実施の形態をあらわす図面を参照しつつ詳しく説明する。
図１は、本発明にかかる磁気治療装身具構成体の１つの実施の形態をあらわしている。
【００１５】
図１に示すように、この磁気治療装身具構成体１ａは、永久磁石２ａと、樹脂被覆層３とから構成されている。
【００１６】
永久磁石２ａは、ネオジウム等から形成されていて、中心部に孔２１が穿設されたリング状をしている。
【００１７】
樹脂被覆層３は、アクリル樹脂（たとえば、ポリメチルメタクリレート）で形成され、孔２１内面を含む永久磁石２ａ全体を被覆するとともに、線状材挿通孔３１を、孔２１の内側に有している。
【００１８】
つぎに、図２〜図６を用いて、上記磁気治療装身具構成体１ａの製造方法の１例を工程順に説明する。
すなわち、この磁気治療装身具構成体１ａの製造方法は、まず、図２に示すように、着磁により永久磁石２ａとなるネオジウム等の着磁前のリング状磁性体２ｂと、磁気治療装身具構成体の樹脂被覆層の一部を構成する合成樹脂製インサート部材４とを用意する。
【００１９】
リング状磁性体２ｂは、着磁されていない以外は、永久磁石２ａと同様になっている。
インサート部材４は、ポリメチルメタクリレート等の透明アクリル樹脂で形成され、樹脂被覆層３の一部を構成し、リング状磁性体２ｂの厚みより長い筒部４１と鍔状部４２とを備えている。
【００２０】
筒部４１は、外径がリング状磁性体２ｂの孔２１の内径とほぼ同じかすこし小径になっていて、その長さがリング状磁性体２ｂの厚みより長くなっていて、軸心に線状材挿通孔３１を有している。
鍔状部４２は、筒部４１の一端から外側に向かって傘状に広がるように形成されていて、筒部４１の一端側の外縁部に面取り形状の切欠４２ａが形成されている。
【００２１】
筒部４１は、鍔状部４２が設けられていない他端側の外縁部に面取り形状の切欠４１ａが形成されている。
また、鍔状部４２の筒部４１の他端側の外周面には、後述するようにインサート部材４にセットされたリング状磁性体２ｂが筒部４１から防止するリング状をした突条４３が設けられている。
【００２２】
突条４３は、図４に示すように、筒部４１の他端側から鍔状部４２側に向かって徐々にその外径が大きくなる断面略三角形のテーパ状をしていて、最大外径がリング状磁性体２ｂの内径より少し大きくなっている。
【００２３】
そして、このようにして用意されたリング状磁性体２ｂの孔２１に、図３および図４に示すように、インサート部材４の筒部４１を筒部４１の他端側からリング状磁性体２ｂが突条４３を完全に乗り越えるまで挿入し、リング状磁性体２ｂとインサート部材４とを一体化する。
なお、このリング状磁性体２ｂとインサート部材４との一体化においては、突条４３が上述のように筒部４１の他端側から鍔状部４２側に向かって徐々にその外径が大きくなる断面略三角形のテーパ状をしているので、リング状磁性体２ｂが突条４３を小さい力で簡単に乗り越え、しかも、一旦乗り越えたのちは、抜けが防止され、容易に離脱することがなくなる。図４において、突条４３は、理解しやすくするために大きく描かれているが、実際は、抜け止めできれば、できるだけ小さい方が好ましい。
【００２４】
続いて、図５に示すように、この一体化されたリング状磁性体２ｂとインサート部材４とを、金型５のキャビティ５１内にセットしたのち、キャビティ５１のリング状磁性体２ｂおよびインサート部材４のインサート部および貫通孔２１部分を除く部分にインサート部材４と同じアクリル樹脂を射出充填して、図６に示すように、線状材挿通孔３１を備えたほぼ球状をした成形体１ｂを得る。
そして、この成形体１ｂを、必要に応じてバレル研磨等により表面を研磨したのち、磁界内に入れてリング状磁性体２ｂを着磁させて永久磁石２ａとし、図１の磁気治療装身具構成体１ａを得る。
【００２５】
このようにして得られた磁気治療装身具構成体１ａは、永久磁石２ａが完全に樹脂被覆層３によって保護されているので、線状材を通す線状材挿通孔３１に水が入っても、永久磁石２ａが水に曝されることがない。
【００２６】
したがって、磁気ネックレスや磁気ブレスレットとして身につけた状態で風呂やプール等に入っても永久磁石２ａが錆びるということがない。
また、樹脂被覆層３がインサート部材４および射出成形樹脂によって形成されているので、樹脂被覆層３を厚肉化して強度的に優れたものとすることができ、耐久性に優れたものとなる。
【００２７】
さらに、インサート部材４の筒部４１の一端に切欠４１ａを設けるとともに、鍔状部４２に切欠４２ａを設けたので、射出成形樹脂部の一部がこの切欠４１ａおよび切欠４２ａ部分に入り込んで、インサート部材４をこの切欠４１ａおよび切欠４２ａに入り込んだ部分によって係止される状態とすることができる。
【００２８】
本発明は、上記の実施の形態に限定されるものではない。たとえば、上記の実施の形態
では、樹脂被覆層が透明樹脂であったが、着色されていても構わない。
また、上記の実施の形態では、磁気治療装身具構成体がほぼ球形であったが、矩形や楕円球形状でも構わない。
さらに、上記の実施の形態では、インサート部材に鍔状部が設けられていたが、鍔状部をなくし、筒部のみでも構わない。なお、インサート部材を筒部のみの形状とする場合には、突条を２条設け、リング状磁性体をこの２条の突条によって両側から係止できるようにすることが好ましい。
【図面の簡単な説明】
【００２９】
【図１】本発明にかかる磁気治療装身具構成体の１つの実施の形態をあらわす断面図である。
【図２】本発明にかかる磁気治療装身具構成体の製造方法に用いるリング状磁性体とインサート部材の断面図である。
【図３】図２のリング状磁性体とインサート部材とを一体化させた状態の断面図である。
【図４】図３の突条部分の拡大図である。
【図５】図３のように一体化したリング状磁性体とインサート部材とを金型内にセットした状態をあらわす断面図である。
【図６】着磁前の成形体の断面図である。
【符号の説明】
【００３０】
１ａ  磁気治療装身具構成体
１ｂ  成形体
２ａ  永久磁石
２ｂ  リング状磁性体
２１  孔
３  樹脂被覆層
３１  線状材挿通孔
４  合成樹脂製インサート部材
４１  筒部
５  射出成形金型
５１  キャビティ
【図１】
2008229253.tif 000003
【図２】
2008229253.tif 000004
【図３】
2008229253.tif 000005
【図４】
2008229253.tif 000006
【図５】
2008229253.tif 000007
【図６】
2008229253.tif 000008